(57)【要約】【課題】  洗濯が容易で、乾燥時間を短縮でき、メンテナンスが簡単に行えるようにする。【解決手段】  本発明の首部冷却品１は、保冷剤８ａが封入され帯状に形成された帯状保冷体８と、該帯状保冷体８を内蔵可能に帯状に形成され、該帯状の一方の面が人の身体表面に接触される接触面となっている袋本体２とを備え、袋本体２は、その接触面における該袋本体２の長さ方向の一端側に、該袋本体２の内外を連通し、帯状保冷体８を出し入れするための開口２ａが設けられている。そして、袋本体２の内部に対して開口２ａから挿脱可能、かつ、該袋本体２の反接触面側の内面に敷設可能に形成されている帯状シート部９を備え、前記帯状シート部９は、断熱性又は／及び遮熱性を有する帯状シート１０を備えている。【選択図】      図９
2020028582.tif 000002
【特許請求の範囲】
【請求項１】
保冷剤が封入され帯状に形成された帯状保冷体と、該帯状保冷体を内蔵可能に帯状に形成され、該帯状の一方の面が人又は動物の身体表面に接触される接触面となっている袋本体とを備え、
前記袋本体は、その接触面における該袋本体の長さ方向の一端側に、該袋本体の内外を連通し、前記帯状保冷体を出し入れするための開口が設けられている帯状冷却品であって、
前記袋本体の内部に対して前記開口から挿脱可能、かつ、該袋本体の反接触面側の内面に敷設可能に形成されている帯状シート部を備え、
前記帯状シート部は、断熱性又は／及び遮熱性を有する帯状シートを備えている
帯状冷却品。
【請求項２】
前記帯状シート部は、その両帯面が金属蒸着又は樹脂フィルムで被覆されることにより、表面が滑らかに形成されている請求項１に記載の帯状冷却品。
【請求項３】
前記帯状保冷体及び前記帯状シート部は、それらの帯長方向の少なくとも一端部同士を互いに係合可能又は連結可能な係合連結部と、被係合連結部とが相対的に設けられている請求項１又は２に記載の帯状冷却品。
【請求項４】
前記袋本体には、帯長方向の両端に、互いに結合可能な結合部及び被結合部が相対的に設けられている請求項１〜３のいずれか一項に記載の帯状冷却品。
【発明の詳細な説明】
【技術分野】
【０００１】
本発明は、人又は動物の身体の表面に沿わせて装着し、該身体を冷却するための帯状冷却品に関するものである。
【背景技術】
【０００２】
帯状冷却品に関する第一の背景技術としては、特許文献１に記載されている首部冷却袋を例示する。この首部冷却袋は、袋本体の背面に設けられたポケットに対し冷却された保冷体を入れた状態で首部の後から巻き付け、両端を首部の前側で結んで装着することにより、首部を冷却するための袋である。
【０００３】
また、第二の背景技術としては、特許文献２に記載されている首部冷却袋を例示する。この首部冷却袋は、袋本体の左右方向中央部に設けられたポケットに対し冷却された保冷体を入れた状態で首部に装着することにより、首部を冷却するための袋である。この首部冷却袋を首部に装着するには、袋本体を首部の後側から巻き付け、首部の前側において、袋本体の一端側に設けられたループに他端側を挿入する。
【０００４】
これらの首部冷却袋においては、保冷力をさらに向上させるために、袋本体の背面側の生地の内面に保温ウレタンを設けることが提案されている。近年は猛暑日が年々増加傾向にあり、熱中症や脱水症状の件数も増加しており、しかも今後はそのような傾向がさらに加速することが予測されていることから、この種の首部冷却袋に対し、保冷力のさらなる向上が要望されているからである。
【先行技術文献】
【特許文献】
【０００５】
【特許文献１】意匠登録第1328932号公報
【特許文献２】意匠登録第1437546号公報
【発明の概要】
【発明が解決しようとする課題】
【０００６】
ところが、保冷力の向上のために、袋本体の背面側の生地の内面に保温ウレタンを設けるためには、袋本体の正面側及び背面側の生地の間に柔軟性や弾力性に優れる保温ウレタンを挟み込んで、それらを一緒に縫製加工しなければならないため、加工がしづらいという課題がある。また、袋本体に保温ウレタンを設けると、布に比べ、破損しやすいため洗濯時や汗を含んだ時でも強く絞ることができなかったり、通気性が悪いため乾燥しにくくなったりするという課題がある。
【課題を解決するための手段】
【０００７】
前記課題を解決するために、第１の発明の帯状冷却品は、
保冷剤が封入され帯状に形成された帯状保冷体と、該帯状保冷体を内蔵可能に帯状に形成され、該帯状の一方の面が人又は動物の身体表面に接触される接触面となっている袋本体とを備え、
前記袋本体は、その接触面における該袋本体の長さ方向の一端側に、該袋本体の内外を連通し、前記帯状保冷体を出し入れするための開口が設けられている帯状冷却品であって、
前記袋本体の内部に対して前記開口から挿脱可能、かつ、該袋本体の反接触面側の内面に敷設可能に形成されている帯状シート部を備え、
前記帯状シート部は、断熱性又は／及び遮熱性を有する帯状シートを備えている。
【０００８】
前記「断熱性又は／及び遮熱性を有する帯状シート」としては、特に限定されないが、次の態様を例示する。下記金属蒸着における金属としては特に限定されないが、アルミニウムを例示する。
（ａ）断熱性を有する発泡樹脂シートからなる態様。
（ｂ）繊維の隙間に空気を閉じ込めるように構成されることにより、断熱性を有する繊維シートからなる態様。
（ｃ）断熱性及び遮熱性を有する金属蒸着発泡樹脂シートからなる態様。なお、金属蒸着は、発泡樹脂シートの片面のみに形成されていてもよいし、同両面に形成されていてもよい。
（ｄ）遮熱性を有する金属蒸着フィルムからなる態様。
【０００９】
前記帯状シート部としては、特に限定されないが、１枚の前記帯状シートを備えている態様や、複数枚重ねの前記帯状シートを備えている態様を例示する。前記帯状シートを複数枚重ねにすると、帯長方向の圧縮に対する強度が増し、前記袋本体に挿入するときに途中で折れ曲がったりつっかえたりし難くなり、スムーズに挿入できる上に、前記複数枚重ねの帯状シート全体と同じ厚さに形成された１枚の帯状シートと比較して、帯面の曲げに対する柔軟性が高く、身体表面の形状にフィットさせ易い。
【００１０】
また、前記複数枚重ねの帯状シートとしては、特に限定されないが、同質の帯状シートを使用してもよいし、異質の帯状シートを適宜組み合わせて使用してもよいし、同形状の帯状シートを使用してもよいし、異形状の帯状シートを適宜組合せて使用してもよい。
【００１１】
前記帯状保冷品としては，特に限定されないが、次の態様を例示する。
（Ａ）頭部周りに装着する頭部冷却品である態様。
（Ｂ）首部周りに装着する首部冷却品である態様。
（Ｃ）胸部周りに装着する胸部冷却品である態様。
（Ｄ）腰部回りに装着する腰部冷却品である態様。
（Ｅ）腕部周りに装着する腕部冷却品である態様。
（Ｆ）足部周りに装着する足部冷却品である態様。
【００１２】
この構成によれば、前記袋本体の反接触面側の内面に敷設可能な前記帯状シート部を備えているので、該袋本体の反接触面側の保温性を向上させることができる。そして、前記帯状シート部は、前記袋本体の内部に対して前記開口から挿脱可能になっているので、洗濯時や汗を含んだ時に該帯状シート部を取り出しておくことにより、該帯状シート部を傷めることなく前記袋本体を洗濯したり絞って水分を除き去ったりすることができ、また、該袋本体を乾燥させるときの時間を短縮することができ、さらに、該帯状シート部が傷んだときに簡単に交換することができる。
【００１３】
第２の発明の帯状冷却品としては、
前記第１の発明において、
前記帯状シート部は、その両帯面が金属蒸着又は樹脂フィルムで被覆されることにより、表面が滑らかに形成されている態様を例示する。
【００１４】
この構成によれば、前記帯状シート部の両帯面の表面が滑らかに形成されているので、前記袋本体に挿入するときに、途中で折れ曲がったりつっかえたりし難くなり、スムーズに挿入することができる。
【００１５】
第３の発明の帯状冷却品としては、
前記第１又は２の発明において、
前記帯状保冷体及び前記帯状シート部は、それらの帯長方向の少なくとも一端部同士を互いに係合可能又は連結可能な係合連結部と、被係合連結部とが相対的に設けられている態様を例示する。
【００１６】
前記「係合連結部と、被係合連結部とが相対的に設けられている」とは、前記帯状保冷体及び前記帯状シート部に対し、それぞれ前記係合連結部及び前記被係合連結部が設けられていてもよいし、同それぞれ前記被係合連結部及び前記係合連結部が設けられていてもよいことを意味する。
【００１７】
この構成によれば、前記帯状保冷体及び前記帯状シート部の前記少なくとも一端部同士を互いに係合又は連結することにより、 前記帯状保冷体及び前記帯状シート部を、該一端部側から前記袋本体の前記開口に挿入するので、帯状シート部を単体で該袋本体に入れる場合よりも容易に入れることができ、しかも、両者をまとめて該袋本体の内部に挿入するので両者を個別に入れる場合よりも手間を省くことができる。
【００１８】
第４の発明の帯状冷却品としては、
前記第１〜３のいずれかの発明において、
前記袋本体には、帯長方向の両端に、互いに結合可能な結合部及び被結合部が相対的に設けられている
態様を例示する。
【００１９】
「結合部及び被結合部が相対的に設けられている」における「相対的」とは、前記「係合連結部と、被係合連結部とが相対的に設けられている」におけるものと同様の意味である。
【００２０】
この構成によれば、前記結合部及び被結合部を結合させることによりループを形成することができ、それにより身体の周囲に巻き付けて装着することができる。
【発明の効果】
【００２１】
本発明に係る帯状冷却品によれば、洗濯が容易で、乾燥時間を短縮でき、メンテナンスが簡単に行えるという優れた効果を奏する。
【図面の簡単な説明】
【００２２】
【図１】本発明を具体化した一実施形態に係る帯状冷却品としての首部冷却品の斜視図である。
【図２】同首部冷却品の正面図である。
【図３】同首部冷却品の背面図である。
【図４】同首部冷却品の拡大右側面図である。
【図５】同首部冷却品の拡大左側面図である。
【図６】同首部冷却品の平面図である。
【図７】同首部冷却品の図３のＡ−Ａ部Ｂ−Ｂ線端面図である。
【図８】同首部冷却品の袋本体から帯状保冷体及び帯状シート部を取り出した状態を示す図７と同様の端面図である。
【図９】同首部冷却品の袋本体へ帯状保冷体及び帯状シート部を挿入する方法を段階的に示す図である。
【図１０】変更例に係る同帯状シート部を同帯状保冷体とともに示す図であり、（ａ）は正面図、（ｂ）は（ａ）のＢ−Ｂ線断面図である。
【図１１】変更例に係る同帯状シート部及び同帯状保冷体を示す図であり、（ａ）は第１の変更例に係る図１０（ｂ）と同様の断面図、（ｂ）は第２の変更例に係る図１０（ｂ）と同様の断面図である。
【図１２】同首部冷却品に関して実施した温度測定試験の結果を示すグラフである。
【図１３】帯状シート部の断面を示す図であり、（ａ）は１枚の帯状シートを備える態様、（ｂ）は２枚の帯状シートを備える態様、（ｃ）は３枚の帯状シートを備える態様をそれぞれ示している。
【発明を実施するための形態】
【００２３】
図１〜図１２は本発明の帯状冷却品を具体化した一実施形態の首部冷却品１を示している。なお、図面において、首部冷却品１の底面図は平面図と上下対称に表れるため省略している。
【００２４】
本例の首部冷却品１は、人の首部周りに装着するものであり、図１〜図８に示すように、袋本体２、結合部３、被結合部４、帯状保冷体８及び帯状シート部９を備えている。
【００２５】
帯状保冷体８は、保冷剤８ａが封入密閉され帯状に形成されている。本例の帯状保冷体８は、それぞれに保冷剤８ａが封入密閉された複数（具体的には４つ）の軟質合成樹脂フィルム製の密閉保冷剤袋８ｂが帯状保冷体８の帯長方向に連設されてなっている。保冷剤８ａとしては、特に限定されないが、水、水吸収ゲル化剤、及び氷点降下剤の混合物からなるゲル状のものを例示する。帯状保冷体８は、複数のものを重ねて使用することもでき、保冷剤８ａが相対的に軟質に形成されているものと、同硬質に形成されているものとを重ねて使用することを例示する。
【００２６】
帯状シート部９は、１枚の帯状シート１０を備えている態様や、複数枚重ねの帯状シート１０を備えている態様を例示する。本例の各図では、１枚の帯状シート１０を備えている態様を示している。帯状シート１０を複数枚重ねにすると、帯長方向の圧縮に対する強度が増し、袋本体２に挿入するときに途中で折れ曲がったりつっかえたりし難くなり、スムーズに挿入できる上に、複数枚重ねの帯状シート１０全体と同じ厚さに形成された１枚の帯状シート１０と比較して、帯面の曲げに対する柔軟性が高く、身体表面の形状にフィットさせ易い。
【００２７】
また、前記複数枚重ねの帯状シート１０としては、特に限定されないが、同質の帯状シート１０を使用してもよいし、異質の帯状シート１０を適宜組み合わせて使用してもよいし、同形状の帯状シート１０を使用してもよいし、異形状の帯状シート１０を適宜組合せて使用してもよい。
【００２８】
帯状シート部９は、その両帯面が金属蒸着又は樹脂フィルムで被覆されることにより、表面が滑らかに形成されている態様とすることもできる。具体的には、次の態様を例示する。
（１）帯状シート部９が１枚の帯状シート１０を備える場合に、該帯状シート１０の両帯面が金属蒸着又は樹脂フィルムで被覆されている態様。
（２）帯状シート部９が複数枚重ねの帯状シート１０を備える場合に、帯状シート部９の両帯面となる各帯状シート１０の帯面が金属蒸着又は樹脂フィルムで被覆されている態様。
【００２９】
帯状シート１０は、帯状保冷体８と略同様の帯幅及び帯長の帯状に形成されている。本例の帯状シート１０は、アルミ蒸着フィルムを発泡ポリエチレンに貼り合わせたアルミ蒸着発泡樹脂シートからなっており、熱反射率の高いアルミ蒸着フィルムで輻射熱を遮断（遮熱）し、熱伝導率の低い発泡ポリエチレンで放冷を抑制（断熱）するようになっている。
【００３０】
帯状保冷体８及び帯状シート部９は、それらの帯長方向の少なくとも一端部同士を互いに係合可能又は連結可能な係合連結部１１と、被係合連結部１２とが相対的に設けられている態様にすることもできる。図１０は、帯状保冷体８及び帯状シート部９の帯長方向の一端部同士を互いに係合可能な係合連結部１１及び被係合連結部１２をそれぞれ帯状シート部９及び帯状保冷体８に設けた態様を示している。また、図１１は、帯状保冷体８及び帯状シート部９の帯長方向の一端部同士を互いに連結可能な係合連結部１１及び被係合連結部１２をそれぞれ帯状保冷体８及び帯状シート部９に設けた態様を示しており、具体的には、同図（ａ）は帯状保冷体８の一端部に設けた係合連結部１１としての粘着シートにより、帯状シート部９の被係合連結部１２としての一端部を連結する態様、同図（ｂ）は帯状保冷体８の一端部に設けた係合連結部１１としての係止部を、帯状シート部９の一端部に設けた被係合連結部１２としての被係止穴に係止することにより、両一端部同士を連結する態様をそれぞれ示している。
【００３１】
袋本体２は、該帯状保冷体８及び該帯状シート部９を内蔵可能に帯状かつ袋状に略全体が形成され、該帯状の一方の面（本例では背面図側の面）が人の身体表面に接触される接触面１ａとなっている。袋本体２は、図９に示すように、その接触面における該袋本体２の長さ方向の一端側に、該袋本体２の内外を連通し、帯状保冷体８及び帯状シート部９を出し入れするための開口２ａが設けられている。袋本体２内においては、前記接触面側に帯状保冷体８が配設され、反接触面側に帯状シート部９が敷設される。このときの帯状シート部９の帯面の向きとしては、特に限定されないが、発泡ポリエチレン側が帯状保冷体８に対峙する向きにすることを例示する。袋本体２としては、表面をパイル生地にすると、保冷力や肌触り等を向上させることができる。また、袋本体２の生地を二重にしたり、該背面側の生地の内面に保温ウレタンを設けたりすると、保冷力をさらに向上させることができる。
【００３２】
結合部３及び被結合部４は、袋本体２の帯長方向の両端に設けられ、互いに結合可能に構成されている。被結合部４には、略逆コ字状に折曲形成された偏平な紐状体４ａの両端が袋本体２の端部に縫い付けられることにより貫通穴５が形成されているとともに、袋本体２の反接触面側に面ファスナー６Ａ（本例ではループ側）が設けられている。結合部３は、被結合部４の貫通穴５に挿入可能に形成されているとともに、結合部３の接触面側に面ファスナー６Ｂ（本例ではフック側）が設けられている。結合部３を被結合部４の貫通穴５に挿入し、結合部３の肌接触面側及び袋本体の反肌接触面側に設けられた面ファスナー６Ａ、６Ｂを結合させると、図１に示すように結合部３及び被結合部４を結合させ、ループを形成させることができるようになっている。
【００３３】
本例の首部冷却品１の使用時には、袋本体２の中央部が人の首部の後部に位置するとともに、袋本体２の両端部が人の首部の両側部から前側に位置するように装着される。
【００３４】
次に、本発明の首部冷却品１に関して実施した温度測定試験について説明する。比較例としては、帯状シート部９を備えていない点のみが異なる首部冷却品を用いた。
【００３５】
本試験の検体では、２連の密閉保冷剤袋８ｂからなり、相対的に軟質に形成された軟質帯状保冷体８（１３０ｇ）と、４連の密閉保冷剤袋８ｂからなり、相対的に硬質に形成された硬質帯状保冷体８（１６０ｇ）とが重ねて使用されている。また、帯状シート部９は１枚の帯状シート１０を備えている。帯状シート１０は、アルミ蒸着フィルムを発泡ポリエチレンの片面に貼り合わせたアルミ蒸着発泡樹脂シートからなっている。
【００３６】
本試験は、家庭用冷凍庫で２４時間冷却した軟質帯状保冷体８及び硬質帯状保冷体８（さらに、本発明の首部冷却袋には帯状シート部９）を袋本体２に入れ、実験室の机の上に敷いたタオルの表面に、袋本体２の接触面側を接触させるように、本発明の首部冷却品１と比較例の首部冷却品を互いに間隔をおいてそれぞれ静置し、温度測定器により、肌接触面とタオルの間の温度を計測することにより行った。
【００３７】
本試験の結果を、図１２に示す。同図に示すように、比較例の首部冷却品が試験開始から約１２５分経過したあたりから急に温度が上昇しているのに対し、帯状シート部９を備えている本発明の首部冷却品１は、その後も比較品よりも低温を保持するとともに、比較的緩やかに温度が上昇するという優れた保冷性能を備えていることが判る。
【００３８】
以上のように構成された本例の首部冷却品１は、袋本体２の内部に対して開口２ａから挿脱可能、かつ、該袋本体２の反接触面側の内面に敷設可能に形成されている帯状シート部９を備え、前記帯状シート部９は、断熱性又は／及び遮熱性を有する帯状シート１０を備えている。この構成によれば、該袋本体２の反接触面側の保温性を向上させることができる。そして、帯状シート部９は、袋本体２の内部に対して開口２ａから挿脱可能になっているので、洗濯時や汗を含んだ時に該帯状シート部９を取り出しておくことにより、該帯状シート部９を傷めることなく袋本体２を洗濯したり絞って水分を除き去ったりすることができ、また、該袋本体２を乾燥させるときの時間を短縮することができ、さらに、該帯状シート部９が傷んだときに簡単に交換することができる。
【００３９】
また、帯状シート部９は、その両帯面が金属蒸着又は樹脂フィルムで被覆されることにより、表面が滑らかに形成されている態様にすることもできる。この構成によれば、帯状シート部９の両帯面の表面が滑らかに形成されているので、袋本体２に挿入するときに、途中で折れ曲がったりつっかえたりし難くなり、スムーズに挿入することができる。
【００４０】
また、帯状保冷体８及び帯状シート部９は、それらの帯長方向の少なくとも一端部同士を互いに係合可能又は連結可能な係合連結部１１と、被係合連結部１２とが相対的に設けられている態様にすることもできる。この構成によれば、帯状保冷体８及び帯状シート部９の前記少なくとも一端部同士を互いに係合又は連結することにより、  帯状保冷体８及び帯状シート部９を、該一端部側から袋本体２の開口２ａに挿入するので、帯状シート部９を単体で該袋本体２に入れる場合よりも容易に入れることができ、しかも、両者をまとめて該袋本体２の内部に挿入するので両者を個別に入れる場合よりも手間を省くことができる。
【００４１】
また、袋本体２には、帯長方向の両端に、互いに結合可能な結合部３及び被結合部４が相対的に設けられているので、結合部３及び被結合部４を結合させることによりループを形成することができ、それにより身体の周囲に巻き付けて装着することができる。
【００４２】
なお、本発明は前記実施形態に限定されるものではなく、例えば以下のように、発明の趣旨から逸脱しない範囲で適宜変更して具体化することもできる。
（１）本例の首部冷却品１の外形、模様、色彩等のデザインを適宜変更すること。
（２）本発明の帯状冷却品を、頭部周りに装着する頭部冷却品、胸部周りに装着する胸部冷却品、腰部回りに装着する腰部冷却品、腕部周りに装着する腕部冷却品、又は、足部周りに装着する足部冷却品として実施すること。
（３）帯状シート部９は、その両帯面が金属蒸着又は樹脂フィルム１０ａで被覆されることにより、表面が滑らかに形成されている態様を、例えば図１３に示すように実施すること。同図（ａ）の帯状シート部９は１枚の帯状シート１０を備え、該帯状シート１０の両帯面が金属蒸着又は樹脂フィルム１０ａで被覆されている実施態様、同図（ｂ）の帯状シート部９は２枚の帯状シート１０を備え、帯状シート部９の両帯面となる各帯状シート１０の帯面が金属蒸着又は樹脂フィルム１０ａで被覆されている実施態様、同図（ｃ）の帯状シート部９は３枚の帯状シート１０を備え、帯状シート部９の両帯面となる各帯状シート１０の帯面が金属蒸着又は樹脂フィルム１０ａで被覆されている実施態様をそれぞれ示している。
【符号の説明】
【００４３】
１    首部冷却品
１ａ  接触面
２    袋本体
２ａ  開口
３    結合部
４    被結合部
４ａ  紐状体
５    貫通穴
６    面ファスナー
８    帯状保冷体
８ａ  保冷剤
８ｂ  密閉保冷剤袋
９    帯状シート部
１０    帯状シート
１０ａ  金属蒸着又は樹脂フィルム
１１    係合連結部
１２    被係合連結部
【図１】
2020028582.tif 000003
【図２】
2020028582.tif 000004
【図３】
2020028582.tif 000005
【図４】
2020028582.tif 000006
【図５】
2020028582.tif 000007
【図６】
2020028582.tif 000008
【図７】
2020028582.tif 000009
【図８】
2020028582.tif 000010
【図９】
2020028582.tif 000011
【図１０】
2020028582.tif 000012
【図１１】
2020028582.tif 000013
【図１２】
2020028582.tif 000014
【図１３】
2020028582.tif 000015